(57)【要約】【課題】      釣り竿の保持や取外しが容易であり、釣り竿の保持が確実で脱落する可能性が低く、釣り竿自体の操作性を損ねることがなく、釣り味を大切にできる竿掛け装置を提供する。【解決手段】  本発明の竿掛け装置１０は、対象型の形状である左右部材２０Ａ，２０Ｂからなる本体２０と、本体２０の左右部材２０Ａ，２０Ｂの一側に設けられ釣り竿４０を位置決めするアーム２１及び竿受け部２２と、本体２０の左右部材２０Ａ，２０Ｂの他側に設けられ釣り竿４０を保持する竿保持部２３と、左右部材２０Ａ，２０Ｂの中央部に設けられ、船に固定するためのベース３０と、を備えている。【選択図】  図１
2006204109.tif 000002
【特許請求の範囲】
【請求項１】
左右の部材からなる本体と、前記本体の一側に設けられ釣り竿を位置決めする竿受け部と、前記本体の他側に設けられ釣り竿を保持する竿保持部と、前記左右の本体の部材中央部に設けられ、船に固定するためのベースと、を備える竿掛け装置であって、
前記竿保持部は、
所定の間隔をおいて立設された４本の支柱と、
前記４本の支柱のそれぞれ左右の前後の２本の支柱の上部に横接された２本の支持軸と、
前記２本の支持軸のそれぞれに回転可能に支持され、相互に内方に向けて付勢されて当接可能である２個のロックレバーと、
釣り竿を上方向に付勢するための押圧部材を装着する押圧部材系止部と、
を備え、
前記２個のロックレバーと前記押圧部材系止部に装着された押圧部材とにより釣り竿を保持し、
前記ベースは、前記左右の本体の部材の中央部に格納可能に設けられた、
ことを特徴とする竿掛け装置。
【請求項２】
前記２個のロックレバーは、バネによって当接され、当接時に前方向に略Ｖ字型の切れ込みを形成し、
前記押圧部材系止部は、前記４本の支柱の前の２本の支柱の前方に設けられ、
釣り竿を下方に移動した時、前記略Ｖ字型の切れ込みへの前記釣り竿の当接によって前記２個のロックレバーが開放して前記釣り竿を格納し、前記２個のロックレバーと前記押圧部材とにより釣り竿を保持する、
ことを特徴とする請求項１記載の竿掛け装置。
【請求項３】
前記本体の左右の部材は、それぞれ内側に、中央部に回転軸を挿入するための孔を有する、円形放射状に設けられた山型凹凸部を備え、
前記ベースは、外側に、中央部に回転軸を挿入するための孔を有する、円形放射状に設けられた山型凹凸部を備え、
前記ベースの山型凹凸部と前記本体の左右の部材の山型凹凸部を歯合させ、前記ベース及び前記本体の左右の部材に設けられた孔に挿入された回転軸の左右をクランプとナットによって締止する、
ことを特徴とする請求項１または２記載の竿掛け装置。
【請求項４】
前記押圧部材は、ゴムやバネなどの弾性部材で構成されることを特徴とする請求項１から３何れか記載の竿掛け装置。
【発明の詳細な説明】
【技術分野】
【０００１】
本発明は、船釣りをするときに船べりに釣り竿を保持する竿掛け装置に関し、特に釣り竿の保持、取外しの操作がしやすく、確実に保持できる竿掛け装置に関する。
【背景技術】
【０００２】
従来、この種の竿掛け装置は種々のものがあるが、例えば実開平６−５４７６号公報に示されるものがある。この船釣り用竿受は、図６（ａ）に示されるように、並設したコ字状クランプ１の上部に挟ませて、支持杆２と該支持杆の下り止め部とを具備し、且つ釣り竿基部の先端側を支持する竿受け部と、係止杆３と該係止杆の上り止め部とを具備し、且つ釣り竿基部の基端側を係止する元受け部とを夫々、別体に、且つ上下に回動自在に枢着したことを特徴としている。
【０００３】
また、従来のこの種の別の装置として、特開平８−１７２９９３号公報に示されるものがある。この船釣り用竿受具は、図６（ｂ）に示されるように、竿受本体４に対して竿５を保持する竿取付片６を竿受本体４に固定される取付けベース７の連結突部に所定角度に簡易に保持できるようにしたものである。
【特許文献１】実開平６−５４７６号公報
【特許文献２】特開平８−１７２９９３号公報
【発明の開示】
【発明が解決しようとする課題】
【０００４】
しかしながら、図１８（ａ）に示した従来の船釣り用竿受は、船が揺れたときや、大型の魚が掛かったとき、また、他人の釣り竿が誤ってぶつかったとき等、釣り竿が竿受から脱落しやすく、釣り竿自体が海中に落ちやすいという問題があった。
【０００５】
また、図１８（ｂ）に示した従来の船釣り用竿受具は、釣り竿５に竿取付片６を固定するため、釣り竿の重量が増すとともに突起物が付属するため操作性が悪くなり、釣り味が大きく損なわれるという問題があった。
【０００６】
本発明は、上記問題点を解決するためになされたものであり、その目的は、釣り竿の保持や取外しが容易であり、釣り竿の保持が確実で脱落する可能性が低く、釣り竿自体の操作性を損ねることがなく、釣り味を大切にできる竿掛け装置を提供することである。
【課題を解決するための手段】
【０００７】
上記課題を解決するため、本発明の竿掛け装置は、左右の部材からなる本体と、前記本体の一側に設けられ釣り竿を位置決めする竿受け部と、前記本体の他側に設けられ釣り竿を保持する竿保持部と、前記左右の本体の部材中央部に設けられ、船に固定するためのベースと、を備える竿掛け装置であって、竿保持部は、所定の間隔をおいて立設された４本の支柱と、４本の支柱のそれぞれ左右の前後の２本の支柱の上部に横接された２本の支持軸と、２本の支持軸のそれぞれに回転可能に支持され、相互に内方に向けて付勢されて当接可能である２個のロックレバーと、釣り竿を上方向に付勢するための押圧部材を装着する押圧部材系止部と、を備え、前記２個のロックレバーと前記押圧部材系止部に装着された押圧部材とにより釣り竿を保持し、ベースは、左右の本体の部材の中央部に格納可能に設けられた、ことを特徴とする。
【０００８】
また、２個のロックレバーは、バネによって当接され、当接時に前方向に略Ｖ字型の切れ込みを形成し、押圧部材系止部は、４本の支柱の前の２本の支柱の前方に設けられ、釣り竿を下方に移動した時、略Ｖ字型の切れ込みへの釣り竿の当接によって２個のロックレバーが開放して釣り竿を格納し、２個のロックレバーと押圧部材とにより釣り竿を保持する、ことができる。
【０００９】
ここで、本体の左右の部材は、それぞれ内側に、中央部に回転軸を挿入するための孔を有する、円形放射状に設けられた山型凹凸部を備え、ベースは、外側に、中央部に回転軸を挿入するための孔を有する、円形放射状に設けられた山型凹凸部を備え、ベースの山型凹凸部と本体の左右の部材の山型凹凸部を歯合させ、ベース及び本体の左右の部材に設けられた孔に挿入された回転軸の左右をクランプとナットによって締止する、ことができる。
【００１０】
また、押圧部材は、ゴムやバネなどの弾性部材で構成されるようにするとよい。
【発明の効果】
【００１１】
本発明の竿掛け装置によれば、釣り竿を２個のロックレバー間に押し当て、ロックレバー間を通過させるだけで容易に保持することができ、釣り竿は押圧部材によりロックレバー方向に付勢されるため保持は確実である。
【００１２】
また、船に取り付けるためのベースは、本体内部に収納することができるため、移動時などではコンパクトに収納して持ち運ぶことができる。
【００１３】
また、ベースと本体は、円形放射状の山型凹凸部によって、多段階的な角度で固定することができるため、船べりなどの形状に適合して竿掛け装置を変形させ、適切な竿掛け角度を獲得することができる。
【発明を実施するための最良の形態】
【００１４】
以下、図面を参照して本発明の竿掛け装置の実施の形態を説明する。
【００１５】
図１〜５は、本発明の竿掛け装置を示す図である。図１〜５において、この竿掛け装置１０は、対象型の形状である左右部材２０Ａ，２０Ｂからなる本体２０と、本体２０の左右部材２０Ａ，２０Ｂの一側に設けられ釣り竿４０を位置決めするアーム２１及び竿受け部２２と、本体２０の左右部材２０Ａ，２０Ｂの他側に設けられ釣り竿４０を保持する竿保持部２３と、左右部材２０Ａ，２０Ｂの中央部に設けられ、船に固定するためのベース３０と、を備える。
【００１６】
ここで、竿保持部２３は、所定の間隔をおいて立設された４本の支柱２３Ｂと、４本の支柱２３Ｂのそれぞれ左右の前後の２本の支柱２３Ｂの上部に横接された２本の支持軸２３Ｃと、２本の支持軸２３Ｃのそれぞれに回転可能に支持され、相互に内方に向けてバネ２３Ｅによって付勢されて当接可能である２個のロックレバー２３Ａと、釣り竿４０を上方向に付勢するための押圧部材（図示せず）を装着する押圧部材系止部２３Ｄと、を備えている。また、バネ２３Ｅは、支柱２３Ｂ側に設けられた支柱側バネ系止部２３Ｆと、ロックレバー２３Ａ側に設けられたロックレバー側バネ系止部２３Ｇとによって、ロックレバー２３Ａの内部に系止されている。この２個のロックレバー２３Ａと押圧部材系止部２３Ｄに装着された押圧部材（図示せず）とにより釣り竿４０を保持する。
【００１７】
また、ベース３０は、左右の本体の部材２０Ａ，２０Ｂの中央部に格納可能に設けられている（図２の一点鎖線）。
【００１８】
また、２個のロックレバー２３Ａは、バネ２３Ｅによって当接され、当接時に前方向に略Ｖ字型の切れ込みを形成し（図４及び図５）、押圧部材系止部２３Ｄは、４本の支柱２３Ｂの前の２本の支柱２３Ｂの前方に設けられ、釣り竿４０を下方に移動した時、略Ｖ字型の切れ込みへの釣り竿４０の当接によって２個のロックレバー２３Ａが開放して釣り竿４０を格納し、２個のロックレバー２３Ａと押圧部材（図示せず）とにより釣り竿を保持する（図５の矢印参照）。ここで、押圧部材は、ゴムやバネなどの弾性部材にするとよい。
【００１９】
また、本体の左右の部材２０Ａ，２０Ｂは、それぞれ内側に、中央部に回転軸２４を挿入するための孔２６を有する、円形放射状に設けられた本体山型凹凸部２５を備え、ベース３０は、その外側に、中央部に回転軸２４を挿入するための孔３６を有する、円形放射状に設けられたベース山型凹凸部３５を備え、ベース山型凹凸部３５と本体２０の左右の部材２０Ａ，２０Ｂの本体山型凹凸部２５を歯合させ、ベース３０及び本体２０の左右の部材２０Ａ，２０Ｂに設けられた孔３６，２６に挿入された回転軸２４の左右をクランプＢ２８とナット２７によって、本体山型凹凸部２５及びベース山型凹凸部３５の山型の凹凸の数に応じた多段階の角度で締止する、ことができる。
【００２０】
また、竿掛け装置１０は、ベース３０に設けられたクランプボルト３１をクランプ３３で回動させることにより、船べりなどを締皿３２と凹凸辺３４とで挟み込んで竿掛け装置１０を船に固定することができる。
【００２１】
以上述べたような本発明の竿掛け装置１０によれば、釣り竿４０を２個のロックレバー２３Ａ間に押し当て、ロックレバー２３Ａ間を通過させるだけで容易に保持することができ、釣り竿４０は押圧部材によりロックレバー２３Ａ方向に付勢されるため保持は確実である。
【００２２】
また、船に取り付けるためのベース３０は、本体２０の内部に収納することができるため、移動時などではコンパクトに収納して持ち運ぶことができる。
【００２３】
また、ベース３０と本体２０は、円形放射状の山型凹凸部３５，２５によって、多段階的な角度で固定することができるため、船べりなどの形状に適合して竿掛け装置１０を変形させ、適切な竿掛け角度を獲得することができる。
【図面の簡単な説明】
【００２４】
【図１】本発明の竿掛け装置を示す図である。
【図２】本発明の竿掛け装置を示す図である。
【図３】本発明の竿掛け装置を示す図である。
【図４】本発明の竿掛け装置を示す図である。
【図５】本発明の竿掛け装置を示す図である。
【図６】（ａ）は従来技術を示す概略斜視図、（ｂ）は他の従来技術を示す概略正面である。
【符号の説明】
【００２５】
１０  竿掛け装置
２０  本体
２０Ａ  左部材              ２０Ｂ  右部材
２１  アーム
２２ 竿受け部
２３  竿保持部
２３Ａ  ロックレバー        ２３Ｂ  支柱
２３Ｃ  支持軸              ２３Ｄ  押圧部材系止部
２３Ｅ  バネ                ２３Ｆ  支柱側バネ系止部
２３Ｇ  ロックレバー側バネ系止部
２４  回転軸
２５  本体山型凹凸部
２６，３６  孔
２７  ナット
２８  クランプＢ
３０  ベース
３１  クランプボルト
３２  締皿
３３  クランプＡ
３４  凹凸辺
３５  ベース山型凹凸部
４０  竿
【図１】
2006204109.tif 000003
【図２】
2006204109.tif 000004
【図３】
2006204109.tif 000005
【図４】
2006204109.tif 000006
【図５】
2006204109.tif 000007
【図６】
2006204109.tif 000008